(57)【要約】      （修正有）【課題】蛍光灯に代替えしての交換取り付けを可能にして本来冷陰極管の持つ優位さを顕在化しそれを堅持できる冷陰極管の改良と改良冷陰極管を用いた照明ランプを提供する。【解決手段】透光性円筒管は、両端部各々に端部閉止部材を設け、一方の端部閉止部材に一対の給電端子を装着し、この給電端子に電子回路と給電線を介して電極に接続し、他方の端部閉止部材に被連結支持用周面を形成した。また前記透光性円筒管の支持用ケースは、両端に給電端子用のホルダーを有し、中央部にコネクターを装着し、一対の透光性円筒管を、被連結支持用周面を形成した端部閉止部材同士を対面して直列に配列し、給電端子を装着した各端部閉止部材を前記ホルダーに着脱可能に装着し、前記コネクターに被連結支持用周面を形成した端部閉止部材を着脱可能に装着したことを特徴とする冷陰極管式照明ランプ。【選択図】図３
0003169160.tif 000002
【実用新案登録請求の範囲】
【請求項１】
給電端子１０１ａ，１０１ｂを装着した透光性円筒管１００に、電子回路と、両端に電極２０１を有する冷陰極管２００とを内蔵し、透光性円筒管１００を支持用ケース５００で着脱可能に支持した冷陰極管式照明ランプにおいて、
前記透光性円筒管１００は、両端部各々に端部閉止部材１０２ａ，１０２ｂを設け、一方の端部閉止部材１０２ａに一対の給電端子１０１ａ，１０１ｂを装着し、この給電端子１０１ａ，１０１ｂに電子回路４００と給電線１０３ａ，１０３ｂ、１０４ａ，１０４ｂを介して電極２０１に接続し、他方の端部閉止部材１０２ｂに被連結支持用周面１０５を形成したことを特徴とする冷陰極管式照明ランプ。
【請求項２】
前記透光性円筒管１００の支持用ケース５００は、両端に給電端子用のホルダー５０１ａ，５０１ｂを有し、中央部にコネクター５０２を装着し、一対の透光性円筒管１００を、被連結支持用周面１０５を形成した端部閉止部材１０２ｂ同士を対面して直列に配列し、給電端子１０１ａ，１０１ｂを装着した各端部閉止部材１０２ａを前記ホルダー５０１ａ，５０１ｂに着脱可能に装着し、前記コネクター５０２に被連結支持用周面１０５を形成した端部閉止部材１０２ｂの被連結支持用周面１０５を着脱可能に装着したことを特徴とする請求項１に記載の冷陰極管式照明ランプ。
【考案の詳細な説明】
【技術分野】
【０００１】  本発明は、光源として冷陰極管ＣＣＦＬ（Ｃｏｌｄ  Ｃａｔｈｏｄｅ  Ｆｌｕｏｒｅｓｃｅｎｔ  Ｌａｍｐ）を用いた所謂冷陰極管式照明ランプに関するものである。
【背景技術】
【０００２】  従来、照明用のランプとしては、白熱電球と蛍光灯（蛍光管）及びＬＥＤ灯が主に用いられている。
一般に、白熱灯も蛍光灯も、価格的には非常に安価であり、確立された技術で安定調達可能である。
しかし白熱灯は、寿命が短く、定期交換が必要であり、省エネ・ＣＯ２削減に関する将来規制への対応にあまり期待できない。
蛍光灯は、白熱電球に比べて低消費電力で発光効率の面でも優れ、寿命も比較的長く広く使用されている。
一方、ＬＥＤ灯は、長寿命による取替コスト低減が可能であり、使用仕様によって、省エネ・ＣＯ２削減の効果が大きい。
しかし導入コストが高額で排熱問題・最終廃棄処理など、技術的・法的課題が多い。【０００３】  而して、蛍光灯は、その点灯用電子回路を電球型のケース内に組込み、電球と同様の口金を両側に設けて、電球の代りに用いることができるようにしたものもある。
電力消費低減によるＣＯ２排出削減が進められている昨今では、蛍光灯の使用割合も年々増加している。【０００４】  しかし蛍光灯は、熱陰極管：ＨＣＦＬ（Ｈｏｔ  Ｃａｔｈｏｄｅ  Ｆｌｕｏｒｅｓｃｅｎｔ  Ｌａｍｐ）型の構造を有しているため、スイッチのＯＮ・ＯＦＦ時に電極に電流を流してフィラメントコイルを急速加熱と急速冷却することで熱電子を放出し、放電を開始する仕組みから、劣化断線による短寿命化がある。
また、従来の直管形や環形の蛍光灯は、反射部や蛍光灯を点灯させるための電子回路を備えた照明器具本体が必要でこれを天井等に取付るには、大きなスペースを確保しなければならず、照明対象空間のレイアウトやデザイン上の制約が大きくなる。【０００５】  近年、フィラメントコイルの無い冷陰極管：ＣＣＦＬ（Ｃｏｌｄ  Ｃａｔｈｏｄｅ  Ｆｌｕｏｒｅｓｃｅｎｔ  Ｌａｍｐ）を用いて一般的な蛍光灯同等の照明性能を確保しつつ、製品寿命や省スペース化の点で優れ所謂冷陰極管式照明ランプが開発された。
この冷陰極管式照明ランプは、モリブデン等の陰極から加熱せずに冷陰極管内に電子を放出して蛍光体を発光させるもので陰極降下電圧を下げ発光効率を高くしたものである。
そこで冷陰極管式照明ランプの構造は、両側端にモリブデン等の電極を有し内部に蛍光体等を配置して管外に可視光を照射可能にした細長い線状体の冷陰極管と、冷陰極管からの光を反射させる反射板と、反射板の裏側に配置した電子回路部と、両側に支持用の弾性材製部材と給電端子を装着し電子回路部、冷陰極管、反射板を包囲した透光性円筒管とから構成し、この透光性円筒管をその給電端子を差し込み可能にしたソケットを両側に設けた簡易ケース内に交換可能に装着し点灯制御回路を不要としたものである。
この照明ランプは、シンプルな簡易ケースさえあれば上記構成により小型でありながらわずかなスペースで適切な高い照明度の照明が長寿命で容易に可能となった。
【考案の概要】
【考案が解決しようとする課題】
【０００６】  しかし、冷陰極管式の照明ランプは、冷陰極管が、前記した複雑な構造体で重いため落下損傷の危険性を考慮すると共に、長寿命体であるが製造コストが高額なため短期間で採算性を上げるためには短尺体に制約される。
したがって冷陰極管は、簡易ケース内への取り付け及び交換等のメンテナンスの簡便さの面及び寿命と製造コストの観点から長尺体にすることには難題が多い。
このため既設の一般蛍光灯装置のケースに蛍光灯に代替えして冷陰極管のみを採用することは、短尺蛍光灯用のケースに限られていた。【０００７】  本考案は、短尺冷陰極管を並列配置および直列配置を容易に可能にし、しかも既設の短尺蛍光灯用及び長尺蛍光灯用の何れの蛍光灯装置に対しても蛍光灯に代替えしての交換取り付けを可能にして本来冷陰極管の持つ優位さを顕在化しそれを堅持できる冷陰極管の改良と改良冷陰極管を用いた照明ランプを提供するものである。
【課題を解決するための手段】
【０００８】  本考案は、上記の課題を満足するものでありその特徴とするところは次の（１）〜（３）の通りである。
（１）、給電端子１０１ａ，１０１ｂを装着した透光性円筒管１００に、電子回路部４００と、両端に電極２０１を有する冷陰極管２００とを内蔵し、透光性円筒管１００を支持用ケース５００で着脱可能に支持した冷陰極管式照明ランプにおいて、
前記透光性円筒管１００は、両端部各々に端部閉止部材１０２ａ，１０２ｂを設け、一方の端部閉止部材１０２ａにのみ一対の給電端子１０１ａ，１０１ｂを装着し、この給電端子１０１ａ，１０１ｂに給電線１０３ａ，１０３ｂ、１０４ａ，１０４ｂを介して電極２０１に接続し、他方の端部閉止部材１０２ｂに被連結支持用周面１０５を形成したことを特徴とする冷陰極管式照明ランプ。【０００９】（２）、前記透光性円筒管１００の支持用ケース５００は、両端に給電端子用のホルダー５０１ａ，５０１ｂを有し、中央部にコネクター５０２を装着し、一対の透光性円筒管１００を、被連結支持用周面１０５を形成した端部閉止部材１０２ｂ同士を対面して直列に配列し、給電端子１０１ａ，１０１ｂを装着した各端部閉止部材１０２ａを前記ホルダー５０１ａ，５０１ｂに着脱可能に装着し、前記コネクター５０２に被連結支持用周面１０５を形成した端部閉止部材１０２ｂの被連結支持用周面１０５を着脱可能に装着したことを特徴とする前記（１）に記載の冷陰極管式照明ランプ。
【考案の効果】
【００１０】  本考案の冷陰極管式照明ランプは、短尺冷陰極管の直列配置を容易に可能にし、しかも新規の支持用ケースに対しては勿論、既設の短尺蛍光灯用及び長尺蛍光灯用の何れのケースに対しても蛍光灯に代替えしての交換取り付けを容易に可能にして本来冷陰極管の持つ優位さを顕在化した。即ち冷陰極管式照明ランプの適切な高い照明度の照明を確実に得ると共に長寿命化を有利に堅持できる優れた効果を呈するものである。
【図面の簡単な説明】
【００１１】
【図１】本考案の実施例１であり、冷陰極管式照明ランプの冷陰極管を示す正面説明図である。
【図２】図１の矢視Ａ−Ａからの断面説明図である。
【図３】本考案の実施例２であり、図１と図２に示す冷陰極管を採用した冷陰極管式照明ランプの全体正面断面説明図と要部拡大説明図である。
【図４】透光性円筒管１００を直列配置するための連結支持用コネクターの他の例を示す。
【図５】連結支持用コネクターの他の例を示す。
【図６】連結支持用コネクターの他の例を示す。
【図７】図３に示す連結支持用コネクターの変形例を示す断面説明図である。
【考案を実施するための形態】
【００１２】  本考案を実施するための形態は、図面に示す実施例により詳細に説明する。
【実施例１】
【００１３】  図１〜図２において、本例の冷陰極管式照明ランプは、支持用ケース５００で支持した透光性円筒管１００内に、平行に二本並べて配置した冷陰極管２００と、冷陰極管２００の一方側に沿って配置し冷陰極管２００を変形しないように適宜な支持具３０１で支持する反射板３００と、反射板３００の裏側に配置の電子回路部４００とを内蔵した構造にしてある。
反射板３００は、透光性円筒管１００に反射塗膜を形成したり透光性円筒管１００のケースなどに外設した場合は、不要である。【００１４】  透光性円筒管１００は、ガラス製アクリル樹脂製等の円筒管１０１でその両端部各々に、内側にゴム製の弾性支持体Ｇを嵌入した金属製の端部閉止部材１０２ａ，１０２ｂを密封装着し、一方の端部閉止部材１０２ａには、絶縁性部材Ｚを介して一対の給電端子１０１ａ，１０１ｂを装着し、この給電端子１０１ａ，１０１ｂの給電線１０３ａ，１０３ｂから管内で反射板３００の裏面側に配置した電子回路部４００と給電線１０４ａ，１０４ｂを介して冷陰極管２００の電極２０１に接続する。他方の端部閉止部材１０２ｂの周面は、後述のコネクター５０２に挿入する円筒形の被連結支持用周面１０５を形成してある。被連結支持用周面１０５の形状は、段付やテーパー等の嵌合面、螺合面、磁着面、緩衝面等にして、これに合わせた受け入れ形状のコネクターを用いる。【００１５】また透光性円筒管１００の円筒管１０１は、反射板３００の裏面（非反射面）側は不透明に塗装処理し、反射面側は半透明にしてある。【００１６】  前記ゴム製の弾性支持体Ｇは冷陰極管２００を支持する反射板３００の側端部を当接支持して反射板３００を介して冷陰極管２００に加わる衝撃や振動などの影響を吸収緩和して冷陰極管２００の破損を防止する。【００１７】  冷陰極管２００は、両端にモリブデン等の電極２０１を有し直径約４ｍｍ程度のガラス管２０２内面に蛍光体２０３を配設したもので、給電端子１０１ａ，１０１ｂから給電線１０３ａ，１０３ｂと電子回路部４００と給電線１０３ａ，１０３ｂを介して電極２０１に給電され発光する。【００１８】  反射板３００は、全ての光を有効に照明対象の空間側に照射できるようにするもので反射面となる光沢面を得やすく軽量なアルミニウム等の磨金属板を用いてある。【００１９】  電子回路部４００は、冷陰極管２００を点灯させるためのトランスやインバータ等である。
透光性円筒管１００は上記の構成により、次に説明する支持用ケース５００に直列に配置することにより容易に長寿命で適切な高い照明度の冷陰極管式照明ランプを安価に得られるものである。
【実施例２】
【００２０】  図３〜図５において、本例の冷陰極管式照明ランプは、支持用ケース５００に前記の冷陰極管内蔵の一対の透光性円筒管１００を直列に配置したものである。
前記透光性円筒管１００の支持用ケース５００は、ケース両端に給電端子用のホルダー５０１ａ，５０１ｂを有し、ケース中央部に、中仕切り５０２ａの両側に挿入穴部５０２ｂを形成した円筒形の金属製或いは樹脂性の筒状のコネクター５０２をクッション材を介して締めバンド５０２ｃによりネジ５０３止めし綺麗に着脱可能に装着する。【００２１】図７にはコネクター５０２の変形例を示し、挿入穴部５０２ｂの底部にコイルスプリング５０２ｄを装着した押し付け保持盤５０２ｅを内設したものであり、これで挿入穴部５０２ｂに装入した透光性円筒管１００の端部閉止部材１０２ｂを緩みが生じないように押し圧保持する。【００２２】  一対の前記透光性円筒管１００は、コネクター５０２との段付やテーパー等の嵌合面、螺合面、磁着面、緩衝面等の被連結支持用周面１０５を形成した端部閉止部材１０２ｂ同士をケース中央部で、対面して直列に配列するが、前記コネクター５０２の挿入穴部５０２ｂに被連結支持用周面１０５を形成した端部閉止部材１０２ｂを挿入連結した後に、給電端子１０１ａ，１０１ｂを装着した各端部閉止部材１０２ａを前記ホルダー５０１ａ，５０１ｂに装着する。【００２３】  前記ホルダー５０１ａ，５０１ｂは、公知のもので、スプリングにより所定範囲後退と復元可能にし、一対の給電端子１０１ａ，１０１ｂを挿入出可能にした給電用の挿入孔（図示せず）を有する。【００２４】  コネクター５０２は前例に示す以外に、公知なものでよく、例えば図４に示す逆Ω型の差し込み脚５０２Ｃ−１付きのソケット型、図５に示す両開き式でネジ式ロック機構５０２Ｃ−２付きの開閉型、図６に示す両開き式でカンダハ−ロック機構５０２Ｃ−３付きのクイックジョイント型などのように簡便で簡易に取り付けられしかも堅牢な構造のものを適宜採用すればよい。
【産業上の利用可能性】
【００２５】  本考案の冷陰極管式照明ランプは、前述のように短尺冷陰極管の直列配置を容易に可能にし、しかも新規のケースに対しては勿論、既設の短尺蛍光灯用及び長尺蛍光灯用の何れのケースに対しても蛍光灯に代替えしての交換取り付けを可能にして本来冷陰極管の持つ優位さ即ち冷陰極管式照明ランプの適切な高い照明度の照明を確実に得ると共に長寿命化を有利に堅持できるなど、その効果を顕在化したものであり、照明産業界および自然環境に貢献すること多大なものがある。
【符号の説明】
【００２６】１００：透光性円筒管
１０１ａ，１０１ｂ：給電端子
１０２ａ，１０２ｂ：端部閉止部材
１０３ａ，１０３ｂ、１０４ａ，１０４ｂ：給電線
１０５：被連結支持用周面
２００：冷陰極管
２０１：電極
３００：反射板
４００：電子回路部
５００：支持用ケース
５０１ａ，５０１ｂ：ホルダー
５０２：コネクター
５０２ａ：中仕切り
５０２ｂ：挿入穴部
５０２ｃ：締めバンド
【図１】
0003169160.tif 000003
【図２】
0003169160.tif 000004
【図３】
0003169160.tif 000005
【図４】
0003169160.tif 000006
【図５】
0003169160.tif 000007
【図６】
0003169160.tif 000008
【図７】
0003169160.tif 000009